【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】
本質的に白色を発生する光源において、
第１のスペクトル（１２０１）を有する少なくとも１つの第１の白色ＬＥＤ；および
第２のスペクトル（１３０１）を有する少なくとも１つの第２の白色ＬＥＤを含み、前記第１のスペクトル（１２０１）は前記第２のスペクトル（１３０１）と異なっている、前記光源。
【請求項２】
第１および第２の白色ＬＥＤの少なくとも一方から放出される光の一部を選択的に透過するように構成された、少なくとも１つの光学フィルタをさらに含む、請求項１に記載の光源。
【請求項３】
少なくとも１つの光学フィルタがハイパスフィルタである、請求項２に記載の光源。
【請求項４】
少なくとも１つの光学フィルタが複数の光学フィルタを含み、該複数の光学フィルタのそれぞれが、第１および第２の白色ＬＥＤの少なくとも一方から放出される光の一部を選択的に透過するように構成されている、請求項２または３に記載の光源。
【請求項５】
第１および第２の白色ＬＥＤの少なくとも一方から放出される光の選択的に透過される部分が、プランク軌跡の少なくとも一部分を含む、請求項４に記載の光源。
【請求項６】
複数の光学フィルタの少なくとも１つが黄色フィルタである、請求項４または５に記載の光源。
【請求項７】
複数の光学フィルタの少なくも第１番目が、色温度約４７４５Ｋに対応する光の部分を透過するように適合されており、かつ
前記複数の光学フィルタの少なくとも第２番目が、色温度約３９３５Ｋに対応する光の部分を透過するように適合されている、請求項４〜６のいずれかに記載の光源。
【請求項８】
第１の白色ＬＥＤの色温度が約２００００Ｋであり、第２の白色ＬＥＤの色温度が約５７５０Ｋである、請求項１〜７のいずれかに記載の光源。
【請求項９】
すくなくとも１つの第１の白色ＬＥＤおよび少なくとも１つの第２の白色ＬＥＤが、実質的に線形配設として構成されている、請求項１〜８のいずれかに記載の光源。
【請求項１０】
第１のスペクトルおよび第２のスペクトルと異なる第３のスペクトルを有する少なくとも１つの別のＬＥＤをさらに含む、請求項１〜９のいずれかに記載の光源。
【請求項１１】
少なくとも１つの別のＬＥＤが、従来型色度図上のプランク軌跡の２３００Ｋ点の右側の色度を有する、請求項１０に記載の光源。
【請求項１２】
少なくとも１つの別のＬＥＤが、少なくとも１つの琥珀色ＬＥＤを含む、請求項１０に記載の光源。
【請求項１３】
第４のスペクトルを有する、少なくとも１つの第４のＬＥＤ；および
第５のスペクトルを有する、少なくとも１つの第５のＬＥＤをさらに含み、
第１、第２、第３、第４および第５のスペクトルがそれぞれ異なっている、請求項１０に記載の光源。
【請求項１４】
第６のスペクトルを有する、少なくとも１つの第６のＬＥＤ；および
第７のスペクトルを有する、少なくとも１つの第７のＬＥＤをさらに含み、
第１、第２、第３、第４、第５、第６および第７のスペクトルがそれぞれ異なっている、請求項１３に記載の光源。
【請求項１５】
少なくとも１つの第１の白色ＬＥＤの第１の量が、少なくとも１つの第２の白色ＬＥＤの第２の量と異なっている、請求項１〜１４のいずれかに記載の光源。
【請求項１６】
少なくとも１つの第１の白色ＬＥＤ、少なくとも１つの第２の白色ＬＥＤ、および少なくとも１つの別のＬＥＤが、人の眼に見える波長にわたって実質的に連続である結合スペクトルを提供するように配設されている、請求項１〜１５のいずれかに記載の光源。
【請求項１７】
結合スペクトルが少なくとも２３００Ｋから４５００Ｋの範囲にわたるプランク軌跡の部分を含むように、それが構成されている、請求項１６に記載の光源。
【請求項１８】
色温度２３００Ｋにおける結合スペクトルが該結合スペクトルの最大ピークに対応する波長より低い波長において実質的な谷を持たないように、それが構成されている、請求項１６または１７に記載の光源。
【請求項１９】
色温度２３００Ｋにおける結合スペクトルが５０より大きい演色指数（ＣＲＩ）値を有し、色温度４５００Ｋにおける結合スペクトルが８０より大きい演色指数（ＣＲＩ）値を有するように、それが構成されている、請求項１６〜１８のいずれかに記載の光源。
【請求項２０】
プロセッサ；および
請求項１〜１９のいずれかに記載されている、少なくとも１つの光源を含む、照明器具。
【請求項２１】
プロセッサが、第１のスペクトル（１２０１）を有する、少なくとも１つの第１の白色ＬＥＤの第１の強度、および第２のスペクトル（１３０１）を有する少なくとも１つの第２の白色ＬＥＤの第２の強度を制御するように適合されている、請求項２０に記載の照明器具。
【請求項２２】
少なくとも１つの第１の白色ＬＥＤが、複数の第１の白色ＬＥＤを含むとともに、少なくとも１つの第２の白色ＬＥＤが、複数の第２の白色ＬＥＤを含む、請求項２０または２１に記載の照明器具。
【請求項２３】
ハウジング；および
光源用の取付け具をさらに含む、請求項２０〜２２のいずれかに記載の照明器具。
【請求項２４】
エジソン・マウント式電球に類似するように形成された、請求項２０〜２３のいずれかに記載の照明器具。
【請求項２５】
蛍光灯に類似するように構成されている、請求項２０〜２３のいずれかに記載の照明器具。
【請求項２６】
ハロゲンＭＲ−１６型電球に類似するように構成されている、請求項２０〜２３のいずれかに記載の照明器具。
【請求項２７】
プロセッサが、少なくとも１つの第１の白色ＬＥＤおよび少なくとも１つの第２の白色ＬＥＤを独立に制御して、照明器具が生成する本質的に白色の光の色温度を制御可能に変化させるように構成されている、請求項２０〜２６のいずれかに記載の照明器具。
【請求項２８】
プロセッサに結合されて、照明器具が発生する本質的に白色光の色温度の調節を容易するように構成されている、少なくとも１つのユーザインターフェイスをさらに含む、請求項２７に記載の照明器具。
【請求項２９】
少なくとも１つのセンサをさらに含む、請求項２０〜２８のいずれかに記載の照明器具。
【請求項３０】
照明器具が発生する光の少なくとも色特性を計測するように少なくとも１つのセンサが構成されているとともに、計測された色特性に基づいて前記照明器具が発生する光を変化させる較正システムをさらに含む、請求項２９に記載の照明器具。
【請求項３１】
プロセッサに結合されて、少なくとも１つの制御信号を照明器具へ、またはそれから通信するように構成されている、受信器および送信器の内の少なくとも一方をさらに含む、請求項２０〜３０のいずれかに記載の照明器具。
【請求項３２】
プロセッサが、パルス幅変調（ＰＷＭ）手法を用いて請求項１〜１９のいずれかに記載の少なくとも１つの光源を制御するように構成されている、請求項２０〜３１のいずれかに記載の照明器具。
【請求項３３】
プロセッサが、少なくとも１つのネットワーク信号を受信するように構成されている、請求項２０〜３２のいずれかに記載の照明器具。
【請求項３４】
プロセッサが、少なくとも１つの無線制御信号を受信するように構成されている、請求項２０〜３３のいずれかに記載の照明器具。
【請求項３５】
プロセッサが、ＤＭＸプロトコルを使用してフォーマットされた少なくとも１つの制御信号を受信するように構成されている、請求項２０〜３４のいずれかに記載の照明器具。
【請求項３６】
光源内に本質的に白色光を発生する方法であって、
少なくとも１つの第１の白色ＬＥＤによって第１のスペクトル（１２０１）を生成するステップ、および
少なくとも１つの第２の白色ＬＥＤによって第２のスペクトル（１３０１）を発生するステップを含み、前記第１のスペクトル（１２０１）が第２のスペクトル（１３０１）と異なる、前記方法。
【請求項３７】
少なくとも１つの光学フィルタを使用して、第１および第２の白色ＬＥＤの少なくとも一方から放出される光の一部分を選択的に透過させるステップをさらに含む、請求項３６に記載の方法。
【請求項３８】
少なくとも１つの光学フィルタは複数の光学フィルタを含むとともに、選択的に透過するステップは、複数の光学フィルタのそれぞれを使用して、第１および第２の白色ＬＥＤの少なくとも一方から放出される光の一部分を透過させることを含む、請求項３７に記載の方法。
【請求項３９】
第１および第２のＬＥＤの少なくとも一方から放出される光の選択的に透過される部分は、少なくともプランク軌跡の一部分である、請求項３８に記載の方法。
【請求項４０】
複数の光学フィルタの少なくとも１つは黄色フィルタである、請求項３８または３９に記載の方法。
【請求項４１】
複数の光学フィルタの少なくとも第１番目が、色温度約４７４５Ｋに対応する光の部分を透過するように適合されており、
前記複数の光学フィルタの少なくとも第２番目が、色温度約３９３５Ｋに対応する光の部分を透過するように適合されている、請求項３８〜４０のいずれかに記載の方法。
【請求項４２】
少なくとも１つの第１の白色ＬＥＤの色温度が約２００００Ｋであり、少なくとも１つの第２の白色ＬＥＤの色温度が約５７５０Ｋである、請求項３６〜４１に記載の方法。
【請求項４３】
少なくとも１つの別のＬＥＤによって第３のスペクトルを生成するステップをさらに含み、前記第３のスペクトルは、第１のスペクトル（１２０１）および第２のスペクトル（１３０１）と異なっている、請求項３６〜４２に記載の方法。
【請求項４４】
少なくとも１つの別のＬＥＤが、従来型色度図上のプランク軌跡の２３００Ｋ点の右側の色度を有する、請求項４３に記載の方法。
【請求項４５】
少なくとも１つの別のＬＥＤが、少なくとも１つの琥珀色ＬＥＤを含む、請求項４３に記載の方法。
【請求項４６】
第１のスペクトル（１２０１）を有する少なくとも１つの第１の白色ＬＥＤの第１の強度、および第２のスペクトル（１３０１）を有する少なくとも１つの第２の白色ＬＥＤの第２の強度を制御するステップをさらに含む、請求項３６〜４５のいずれかに記載の方法。
【請求項４７】
少なくとも生成された色特性を計測するステップ、および
前記計測された色特性に基づいて生成された光を較正するステップをさらに含む、請求項３６〜４６のいずれかに記載の方法。